(57)【要約】      （修正有）【課題】歩留率を増加可能であり、主体とリングとから、ペット迷路を構成可能であり、円筒、プレート、リング及び円盤から、ペット枠を構成可能であり、全体の構造の変化性を増加可能な組合せ式ペット用紙製枠を提供する。【解決手段】段ボール紙で作製され、幾何形状円筒１１と四つの幾何形状円盤１２とが割り出され、六つの面に幾何形状穴１３が六つの面を貫通するようにそれぞれ設けられている幾何形状立方体１０と、段ボール紙で作製され、大幾何形状リング、中幾何形状リング、幾何形状円盤１２及び幾何形状プレートが割り出され、幾何形状プレートの中央に幾何形状貫通孔が設けられている複数のプレートと、を含む。【選択図】図１
0003202310.tif 000002
【実用新案登録請求の範囲】
【請求項１】
段ボール紙で作製され、幾何形状円筒と四つの幾何形状円盤とが割り出され、六つの面に幾何形状穴が六つの面を貫通するようにそれぞれ設けられている幾何形状立方体と、
段ボール紙で作製され、大幾何形状リング、中幾何形状リング、幾何形状円盤及び幾何形状プレートが割り出され、前記幾何形状プレートの中央に幾何形状貫通孔が設けられている複数のプレートと、
を含むことを特徴とする組合せ式ペット用紙製枠。
【請求項２】
前記幾何形状立方体は、その六つの面に前記幾何形状プレートがそれぞれ固定されており、前記各幾何形状プレートの前記幾何形状貫通孔の穴径は、前記幾何形状立方体の前記幾何形状穴の穴径より大きいことにより、階段状幾何形状穴が形成され、前記幾何形状立方体が幾何形状立方体ユニットに形成されることを特徴とする、請求項１に記載の組合せ式ペット用紙製枠。
【請求項３】
前記幾何形状立方体の形状は正立方形を呈することを特徴とする、請求項２に記載の組合せ式ペット用紙製枠。
【請求項４】
前記幾何形状円盤の下方に小幾何形状円盤が固定されており、前記幾何形状円盤の上方には、前記幾何形状円盤の外径と同じ外径を有する幾何形状リングが固定されていることにより、高さ増加ユニットが形成されることを特徴とする、請求項１に記載の組合せ式ペット用紙製枠。
【請求項５】
複数の前記幾何形状プレート、前記幾何形状円筒及び前記幾何形状リングを接続すると、ペット枠ユニットが構成されることを特徴とする、請求項４に記載の組合せ式ペット用紙製枠。
【請求項６】
前記大幾何形状リングと前記中幾何形状リングと前記幾何形状円盤との中心に円筒体を挿通してこれらを枢着すると、前記中幾何形状リングを９０度に旋回することにより、全体がほぼボール状を呈するペット玩具ユニットに形成されることを特徴とする、請求項５に記載の組合せ式ペット用紙製枠。
【請求項７】
複数の前記高さ増加ユニットにより、前記ペット枠ユニットの高さを変更可能であり、ケーブルを前記ペット玩具ユニットの円筒体と連接すると、ペット玩具セットが構成され、前記高さ増加ユニット同士の間に前記幾何形状リングが嵌め設けられていることを特徴とする、請求項６に記載の組合せ式ペット用紙製枠。
【請求項８】
前記幾何形状穴、前記幾何形状リング及び前記幾何形状円盤の結合位置に、段ボール紙シートが貼り付けられており、前記幾何形状穴、前記幾何形状リング及び前記幾何形状円盤の結合は、締まり嵌めを採用することを特徴とする、請求項７に記載の組合せ式ペット用紙製枠。
【請求項９】
前記幾何形状穴、前記幾何形状リング及び前記幾何形状円盤の結合は、接着剤によって接合することを特徴とする、請求項７に記載の組合せ式ペット用紙製枠。
【請求項１０】
前記幾何形状穴の形状は円形を呈することを特徴とする、請求項１に記載の組合せ式ペット用紙製枠。
【請求項１１】
六つの面に幾何形状穴が六つの面を貫通するようにそれぞれ設けられている複数の幾何形状立方体と、
幾何形状プレートがそれぞれ割り出され、前記幾何形状プレートの中央に幾何形状貫通孔が設けられており、前記各幾何形状立方体の六つの面に前記幾何形状プレートがそれぞれ固定されており、前記各幾何形状プレートの前記幾何形状貫通孔の穴径は、前記幾何形状立方体の前記幾何形状穴の穴径より大きいことにより、階段状幾何形状穴が形成され、前記幾何形状立方体が幾何形状立方体ユニットに形成される複数のプレートと、
前記幾何形状立方体ユニット同士の間の前記階段状幾何形状穴に組み付けられていることにより、全部の前記幾何形状立方体ユニットがペット迷路セットを構成する複数の幾何形状リングと、
を含むことを特徴とする組合せ式ペット用紙製枠。
【請求項１２】
複数の前記幾何形状リングは、二つづつの前記幾何形状立方体ユニットの間の前記階段状幾何形状穴にそれぞれ組み付けられており、二つづつの前記幾何形状リングの間に前記幾何形状円筒が組み付けられており、これにより、全部の前記幾何形状立方体ユニットと前記幾何形状円筒とから、別のペット迷路セットが構成されることを特徴とする、請求項１１に記載の組合せ式ペット用紙製枠。
【請求項１３】
前記幾何形状穴の形状は円形を呈することを特徴とする、請求項１１に記載の組合せ式ペット用紙製枠。
【請求項１４】
前記幾何形状立方体の形状は正立方形を呈することを特徴とする、請求項１３に記載の組合せ式ペット用紙製枠。
【請求項１５】
前記幾何形状リング及び前記階段状幾何形状穴の結合位置に、段ボール紙シートが貼り付けられており、前記幾何形状リング及び前記階段状幾何形状穴の結合は、締まり嵌めを採用することを特徴とする、請求項１４に記載の組合せ式ペット用紙製枠。
【請求項１６】
前記幾何形状リング及び前記階段状幾何形状穴の結合は、接着剤によって接合することを特徴とする、請求項１４に記載の組合せ式ペット用紙製枠。
【請求項１７】
段ボール紙で作製され、一つ以上の幾何形状穴が割り出される幾何形状立方体を含み、前記幾何形状穴は前記幾何形状立方体を貫通することを特徴とする組合せ式ペット用紙製枠。
【請求項１８】
前記幾何形状立方体の形状は正立方形を呈することを特徴とする、請求項１７に記載の組合せ式ペット用紙製枠。
【請求項１９】
前記幾何形状穴の形状は円形を呈することを特徴とする、請求項１８に記載の組合せ式ペット用紙製枠。
【請求項２０】
前記幾何形状穴は、その形状が円形を呈し、前記幾何形状立方体の六つの面をそれぞれ貫通することを特徴とする、請求項１９に記載の組合せ式ペット用紙製枠。
【考案の詳細な説明】
【技術分野】
【０００１】
本考案は、ペット用品に関し、特に、材料を十分に利用可能であり、組合せられるペット枠又はペット用品の変化性が増加し、全体がリサイクル可能な材料を採用する組合せ式ペット用紙製枠に関するものである。
【背景技術】
【０００２】
特許文献１の台湾実用新案１０４２０３０９４号の「猫ハウス」は、段ボール紙製のプレートを組合せて構成され、ハウス本体と、屋根と、を含む。ハウス本体の下方の空間は猫を収容可能である。ハウス本体の裏面には、猫の爪がスクラッチ可能な粗面が設けられている。屋根は、ハウス本体の上部に設けられており、上空間を有する。上空間は猫を収容可能である。屋根の上面と、上空間に向く裏面とには、猫の爪がスクラッチ可能な粗面が設けられている。
【０００３】
上記の猫ハウスは、その形状が一定であり、構造を変更できず、そして作製の過程中に、中央の長方形を呈する穴と、全部の円形を呈する穴と、屋根の三角形と矩形との部分とが、取り除かれて廃棄するため、材料を無駄にする問題がある。
【先行技術文献】
【特許文献】
【０００４】
【特許文献１】台湾実用新案１０４２０３０９４号公報
【考案の概要】
【考案が解決しようとする課題】
【０００５】
本考案の主な目的は、段ボール紙である素材から、主体とプレートとを割り出して、主体とプレートとから、リング、円盤及び穴を割り出すため、歩留率を増加可能であり、主体とリングとから、ペット迷路を構成可能であり、円筒、プレート、リング及び円盤から、ペット枠を構成可能であり、全体の構造の変化性を増加可能な組合せ式ペット用紙製枠を提供することにある。
【課題を解決するための手段】
【０００６】
本考案の組合せ式ペット用紙製枠によると、段ボール紙で作製され、幾何形状円筒と四つの幾何形状円盤とが割り出され、六つの面に幾何形状穴が六つの面を貫通するようにそれぞれ設けられている幾何形状立方体と、
段ボール紙で作製され、大幾何形状リング、中幾何形状リング、幾何形状円盤及び幾何形状プレートが割り出され、幾何形状プレートの中央に幾何形状貫通孔が設けられている複数のプレートと、
を含むことを特徴とする。
【０００７】
本考案の組合せ式ペット用紙製枠によると、幾何形状立方体は、その六つの面に幾何形状プレートがそれぞれ固定されており、各幾何形状プレートの幾何形状貫通孔の穴径は、幾何形状立方体の幾何形状穴の穴径より大きいことにより、階段状幾何形状穴が形成され、幾何形状立方体が幾何形状立方体ユニットに形成されることを特徴とする。
【０００８】
本考案の組合せ式ペット用紙製枠によると、幾何形状立方体の形状は正立方形を呈することを特徴とする。
【０００９】
本考案の組合せ式ペット用紙製枠によると、幾何形状円盤の下方に小幾何形状円盤が固定されており、幾何形状円盤の上方には、幾何形状円盤の外径と同じ外径を有する幾何形状リングが固定されていることにより、高さ増加ユニットが形成されることを特徴とする。
【００１０】
本考案の組合せ式ペット用紙製枠によると、複数の幾何形状プレート、幾何形状円筒及び幾何形状リングを接続すると、ペット枠ユニットが構成されることを特徴とする。
【００１１】
本考案の組合せ式ペット用紙製枠によると、大幾何形状リングと中幾何形状リングと幾何形状円盤との中心に円筒体を挿通してこれらを枢着すると、中幾何形状リングを９０度に旋回することにより、全体がほぼボール状を呈するペット玩具ユニットに形成されることを特徴とする。
【００１２】
本考案の組合せ式ペット用紙製枠によると、複数の高さ増加ユニットにより、ペット枠ユニットの高さを変更可能であり、ケーブルをペット玩具ユニットの円筒体と連接すると、ペット玩具セットが構成され、高さ増加ユニット同士の間に幾何形状リングが嵌め設けられていることを特徴とする。
【００１３】
本考案の組合せ式ペット用紙製枠によると、幾何形状穴、幾何形状リング及び幾何形状円盤の結合位置に、段ボール紙シートが貼り付けられており、幾何形状穴、幾何形状リング及び幾何形状円盤の結合は、締まり嵌めを採用することを特徴とする。
【００１４】
本考案の組合せ式ペット用紙製枠によると、幾何形状穴、幾何形状リング及び幾何形状円盤の結合は、接着剤によって接合することを特徴とする。
【００１５】
本考案の組合せ式ペット用紙製枠によると、幾何形状穴の形状は円形を呈することを特徴とする。
【００１６】
本考案の組合せ式ペット用紙製枠によると、六つの面に幾何形状穴が六つの面を貫通するようにそれぞれ設けられている複数の幾何形状立方体と、
幾何形状プレートがそれぞれ割り出され、幾何形状プレートの中央に幾何形状貫通孔が設けられており、各幾何形状立方体の六つの面に幾何形状プレートがそれぞれ固定されており、各幾何形状プレートの幾何形状貫通孔の穴径は、幾何形状立方体の幾何形状穴の穴径より大きいことにより、階段状幾何形状穴が形成され、幾何形状立方体が幾何形状立方体ユニットに形成される複数のプレートと、
幾何形状立方体ユニット同士の間の階段状幾何形状穴に組み付けられていることにより、全部の幾何形状立方体ユニットがペット迷路セットを構成する複数の幾何形状リングと、
を含むことを特徴とする。
【００１７】
本考案の組合せ式ペット用紙製枠によると、複数の幾何形状リングは、二つづつの幾何形状立方体ユニットの間の階段状幾何形状穴にそれぞれ組み付けられており、二つづつの幾何形状リングの間に幾何形状円筒が組み付けられており、これにより、全部の幾何形状立方体ユニットと幾何形状円筒とから、別のペット迷路セットが構成されることを特徴とする。
【００１８】
本考案の組合せ式ペット用紙製枠によると、幾何形状穴の形状は円形を呈することを特徴とする。
【００１９】
本考案の組合せ式ペット用紙製枠によると、幾何形状立方体の形状は正立方形を呈することを特徴とする。
【００２０】
本考案の組合せ式ペット用紙製枠によると、幾何形状リング及び階段状幾何形状穴の結合位置に、段ボール紙シートが貼り付けられており、幾何形状リング及び階段状幾何形状穴の結合は、締まり嵌めを採用することを特徴とする。
【００２１】
本考案の組合せ式ペット用紙製枠によると、幾何形状リング及び階段状幾何形状穴の結合は、接着剤によって接合することを特徴とする。
【００２２】
本考案の組合せ式ペット用紙製枠によると、段ボール紙で作製され、一つ以上の幾何形状穴が割り出される幾何形状立方体を含み、幾何形状穴は幾何形状立方体を貫通することを特徴とする。
【００２３】
本考案の組合せ式ペット用紙製枠によると、幾何形状立方体の形状は正立方形を呈することを特徴とする。
【００２４】
本考案の組合せ式ペット用紙製枠によると、幾何形状穴の形状は円形を呈することを特徴とする。
【００２５】
本考案の組合せ式ペット用紙製枠によると、幾何形状穴は、その形状が円形を呈し、幾何形状立方体の六つの面をそれぞれ貫通することを特徴とする。
【考案の効果】
【００２６】
本考案の組合せ式ペット用紙製枠によれば、次のような効果がある。
（１）段ボール紙である素材から、主体とプレートとを割り出して、主体とプレートとから、リング、円盤及び穴を割り出すため、歩留率を増加可能であり、主体とリングとから、ペット迷路を構成可能であり、円筒、プレート、リング及び円盤から、ペット枠を構成可能であり、全体の構造の変化性を増加可能である。
【００２７】
（２）全体がリサイクル可能な材料を採用するため、地球環境に優しい。
【図面の簡単な説明】
【００２８】
【図１】本考案の一実施形態に係る段ボール紙で作製される立方体を示す分解斜視図である。
【図２】本考案の他の実施形態に係る段ボール紙で作製されるプレートを示す分解斜視図である。
【図３】本考案に係る組合せ式ペット用紙製枠がペット玩具セットに組合せられる状態を示す斜視図である。
【図４】本考案に係る組合せ式ペット用紙製枠がペット枠ユニットに組合せられる状態を示す分解斜視図である。
【図５】本考案に係る組合せ式ペット用紙製枠が別のペット玩具セットに組合せられる状態を示す斜視図である。
【図６】本考案に係る組合せ式ペット用紙製枠が幾何形状立方体ユニットに組合せられる状態を示す斜視図である。
【図７】本考案に係る組合せ式ペット用紙製枠がペット迷路セットに組合せられる状態を示す分解斜視図である。
【図８】本考案に係る組合せ式ペット用紙製枠が別のペット迷路セットに組合せられる状態を示す分解斜視図である。
【図９】本考案に係る組合せ式ペット用紙製枠が別のペット迷路セットに組合せられる状態を示す斜視図である。
【考案を実施するための形態】
【００２９】
以下、本考案の実施の形態を図面に基づいて説明する。
【００３０】
図１から図９を参照する。本考案の一実施形態に係る組合せ式ペット用紙製枠は、幾何形状立方体１０と、複数のプレートと、を含む。
【００３１】
幾何形状立方体１０は、段ボール紙で作製され、幾何形状円筒１１と四つの幾何形状円盤１２とが割り出され、六つの面に幾何形状穴１３が六つの面を貫通するようにそれぞれ設けられている。
【００３２】
複数の前記プレートは、段ボール紙で作製され、大幾何形状リング２１ａ、中幾何形状リング２１ｂ、幾何形状円盤１２及び幾何形状プレート２０が割り出され、幾何形状プレート２０の中央に幾何形状貫通孔２０１が設けられている。これにより、図１及び図２に示すように、スクラップを最少に抑えることが可能な前提で、六つの面が貫通される幾何形状立方体１０と、複数の幾何形状円盤１２と、複数の幾何形状リング２１又は２２と、複数の幾何形状プレート２０と、を得ることが可能である。
【００３３】
幾何形状立方体１０は、その六つの面に幾何形状プレート２０がそれぞれ固定されている。各幾何形状プレート２０の幾何形状貫通孔２０１の穴径は、幾何形状立方体１０の幾何形状穴１３の穴径より大きい。これにより、図６に示すように、階段状幾何形状穴１４が形成され、幾何形状立方体１０が幾何形状立方体ユニット１０１に形成される。
【００３４】
幾何形状立方体１０の形状は、図１に示すように、正立方形を呈することが好ましい。
【００３５】
図４及び図５に示すように、幾何形状円盤１２の下方に小幾何形状円盤１２ａが固定されており、幾何形状円盤１２の上方には、幾何形状円盤１２の外径と同じ外径を有する幾何形状リング２１が固定されていることにより、高さ増加ユニット３０が形成される。
【００３６】
図４に示すように、複数の幾何形状プレート２０、幾何形状円筒１１及び幾何形状リング２１を接続すると、ペット枠ユニット４０が構成される。
【００３７】
図３に示すように、大幾何形状リング２１ａと中幾何形状リング２１ｂと幾何形状円盤１２との中心に円筒体５１を挿通してこれらを枢着すると、中幾何形状リング２１ｂを９０度に旋回することにより、全体がほぼボール状を呈するペット玩具ユニット５０に形成される。
【００３８】
ペット枠ユニット４０は、図５に示すように、複数の高さ増加ユニット３０により、ペット枠ユニット４０の高さを変更可能である。ケーブル５２をペット玩具ユニット５０の円筒体５１と連接すると、ペット玩具セット６０が構成される。高さ増加ユニット３０同士の間に幾何形状リング２１が嵌め設けられていることにより、ペット枠ユニット４０全体がもっと安定的となる。
【００３９】
幾何形状穴１３、幾何形状リング２１及び幾何形状円盤１２の結合位置に、段ボール紙シートが貼り付けられており、幾何形状穴１３、幾何形状リング２１及び幾何形状円盤１２の結合は、締まり嵌めを採用してもよい。
【００４０】
幾何形状穴１３、幾何形状リング２１及び幾何形状円盤１２の結合は、接着剤によって接合してもよい。
【００４１】
幾何形状穴１３の形状は、図１に示すように、円形を呈することが好ましい。
【００４２】
本考案の他の実施形態に係る組合せ式ペット用紙製枠は、複数の幾何形状立方体１０と、複数の前記プレートと、複数の幾何形状リング２１と、を含む。
【００４３】
複数の幾何形状立方体１０は、六つの面に幾何形状穴１３が六つの面を貫通するようにそれぞれ設けられている。
【００４４】
複数の前記プレートは、幾何形状プレート２０がそれぞれ割り出され、幾何形状プレート２０の中央に幾何形状貫通孔２０１が設けられている。各幾何形状立方体１０の六つの面に幾何形状プレート２０がそれぞれ固定されている。各幾何形状プレート２０の幾何形状貫通孔２０１の穴径は、幾何形状立方体１０の幾何形状穴１３の穴径より大きい。これにより、図７に示すように、階段状幾何形状穴１４が形成され、幾何形状立方体１０が幾何形状立方体ユニット１０１に形成される。
【００４５】
複数の幾何形状リングは、幾何形状立方体ユニット１０１同士の間の階段状幾何形状穴１４に組み付けられている。これにより、図８に示すように、全部の幾何形状立方体ユニット１０１はペット迷路セット１０２を構成する。
【００４６】
複数の幾何形状リング２１は、図８及び図９に示すように、二つづつの幾何形状立方体ユニット１０１の間の階段状幾何形状穴１４にそれぞれ組み付けられている。二つづつの幾何形状リング２１の間に幾何形状円筒１１が組み付けられている。これにより、全部の幾何形状立方体ユニット１０１と幾何形状円筒１１とから、別のペット迷路セット１０２が構成される。
【００４７】
幾何形状穴１３の形状は、図１に示すように、円形を呈することが好ましい。
【００４８】
幾何形状立方体１０の形状は、図１に示すように、正立方形を呈することが好ましい。
【００４９】
幾何形状リング２１及び階段状幾何形状穴１４の結合位置に、段ボール紙シートが貼り付けられており、幾何形状リング２１及び階段状幾何形状穴１４の結合は、締まり嵌めを採用してもよい。
【００５０】
幾何形状リング２１及び階段状幾何形状穴１４の結合は、接着剤によって接合してもよい。
【００５１】
本考案の別の実施形態に係る組合せ式ペット用紙製枠は、図１に示すように、段ボール紙で作製され、一つ以上の幾何形状穴１３が割り出される幾何形状立方体１０を含む。幾何形状穴１３は幾何形状立方体１０を貫通する。
【００５２】
幾何形状立方体１０の形状は、図１に示すように、正立方形を呈することが好ましい。
【００５３】
幾何形状穴１３の形状は、図１に示すように、円形を呈することが好ましい。
【００５４】
幾何形状穴１３は、図１に示すように、その形状が円形を呈し、幾何形状立方体１０の六つの面をそれぞれ貫通することが好ましい。
【産業上の利用可能性】
【００５５】
本考案は、ペット用枠に適用することができる。
【符号の説明】
【００５６】
１０  幾何形状立方体
１１  幾何形状円筒
１２  幾何形状円盤
１２ａ  小幾何形状円盤
１３  幾何形状穴
１４  階段状幾何形状穴
２０  幾何形状プレート
２１  幾何形状リング
２１ａ  大幾何形状リング
２１ｂ  中幾何形状リング
３０  高さ増加ユニット
４０  ペット枠ユニット
５０  ペット玩具ユニット
５１  円筒体
５２  ケーブル
６０  ペット玩具セット
１０１  幾何形状立方体ユニット
１０２  ペット迷路セット
２０１  幾何形状貫通孔
【図１】
0003202310.tif 000003
【図２】
0003202310.tif 000004
【図３】
0003202310.tif 000005
【図４】
0003202310.tif 000006
【図５】
0003202310.tif 000007
【図６】
0003202310.tif 000008
【図７】
0003202310.tif 000009
【図８】
0003202310.tif 000010
【図９】
0003202310.tif 000011